(57)【要約】【課題】  本発明は、アンテナ特性を劣化させることなく車載機器として小型化を実現できるようにする。【解決手段】  本発明は、無線通信機能を有する車載用ナビゲーション装置１の液晶モニタ１において、当該液晶モニタ１を取付スタンド２０に対して機械的に取り付けるための取付金具１１を具え、取付金具１１を電波放射のためのアンテナとして用いることにより、当該取付金具１１をアンテナとしても共用することができるので、アンテナとしてのみ動作する通常のアンテナ素子が不要になる分だけ美観を損ねることなく小型化することができると共に、アンテナとして動作する取付金具１１が液晶モニタ１の外部に露出しているので良好なアンテナ特性を得ることもできる。【選択図】        図２
2005138637.tif 000002
【特許請求の範囲】
【請求項１】
無線通信機能を有する車載機器において、
当該車載機器を所定の取付対象に対して機械的に取り付けるための取付金具
を具え、
上記取付金具を電波放射のためのアンテナとして用いる
ことを特徴とする車載機器。
【請求項２】
上記車載機器は、ディスプレイであって、
上記取付金具は、上記ディスプレイと、当該ディスプレイを保持する取付スタンドとを機械的に接続するために当該ディスプレイ自体に設けられている
ことを特徴とする請求項１に記載の車載機器。
【請求項３】
上記取付金具は、上記ディスプレイと、当該ディスプレイを保持する導電性部材でなる取付スタンドとが機械的かつ電気的に接続されることにより、当該取付スタンドもアンテナとして動作する
ことを特徴とする請求項１に記載の車載機器。
【発明の詳細な説明】
【技術分野】
【０００１】
本発明は、車載機器に関し、例えば車載用ナビゲーション装置に適用して好適なものである。
【背景技術】
【０００２】
従来、車載用ナビゲーション装置においては、液晶モニタと一体構造の機器本体が取付スタンドを介して車内に取り付けられ、その取付スタンドにＧＰＳアンテナ等が一体形成されたものがある。
【０００３】
この車載用ナビゲーション装置では、当該機器本体に信号を取り込むアンテナと、当該機器本体を支持する取付スタンドのソールプレートとを一体に形成することにより、アンテナ取付け板が不要となって美観の優れたものとすることができると共に、アンテナと機器本体との接続作業を不要とするようになされている（例えば、特許文献１参照）。
【特許文献１】特開2002-337618公報
【発明の開示】
【発明が解決しようとする課題】
【０００４】
ところでかかる構成の車載用ナビゲーション装置においては、アンテナと取付スタンドのソールプレートとを物理的に一体形成しなければならず、そのアンテナ分だけ取付スタンドのサイズが全体として大きくならざるを得ず、また車載用という限られた車内空間で省スペース化を図ることができないという問題があった。
【０００５】
本発明は以上の点を考慮してなされたもので、アンテナ特性を劣化させることなく車載機器として小型化を実現し得る車載機器を提案しようとするものである。
【課題を解決するための手段】
【０００６】
かかる課題を解決するため本発明においては、無線通信機能を有する車載機器において、当該車載機器を所定の取付対象に対して機械的に取り付けるための取付金具を具え、取付金具を電波放射のためのアンテナとして用いるようにする。
【０００７】
これにより取付金具をアンテナとして共用することができるので、アンテナとしてのみ動作する通常のアンテナ素子が不要になる分だけ美観を損ねることなく小型化することができると共に、アンテナとして動作する取付金具が車載機器の外部に露出しているので良好なアンテナ特性を得ることもできる。
【発明の効果】
【０００８】
本発明によれば、取付金具をアンテナとして用いることができるので、アンテナとしてのみ動作する通常のアンテナ素子が不要になる分だけ美観を損ねることなく小型化することができると共に、アンテナとして動作する取付金具が車載機器の外部に露出しているので良好なアンテナ特性を実現することができる。
【発明を実施するための最良の形態】
【０００９】
以下、図面について、本発明の一実施の形態を詳述する。
【００１０】
（１）液晶モニタの構成
図１において、１は全体として車載用ナビゲーション装置の液晶モニタを示し、透明なアクリル樹脂等でなる前カバー２と、映像を表示するためのＬＣＤ(Liquid Crystal Display)３と、送受信回路として用いられるＦＭ送信回路等（図示せず）が装着されたメイン基板４と、当該ＬＣＤ３及びメイン基板４を前カバー２と挟み込む形で収納するための樹脂製でなる裏カバー６とによって構成されている。
【００１１】
メイン基板４には、ＦＭ送信回路から音声信号に基づいて変調された高周波信号を出力するためのリード線５が設けられており、当該リード線５が裏カバー６の内側に設けられた凸部７の貫通孔を介して当該裏カバー６の背面側へ導出されている。
【００１２】
この液晶モニタ１は、内蔵されたハードディスク等の記憶部から読み出されて供給される地図データに基づいて地図を画面上に表示してルート案内を行ったり、内蔵されたテレビチューナを介して受信したテレビ映像を画面上に表示し得るようになされている。
【００１３】
また液晶モニタ１は、ルート案内を行うときの経路誘導音声や、テレビモニタとして使用される場合のテレビ音声を微小な電波でカーステレオのＦＭ受信機（図示せず）へ送信し、当該ＦＭ受信機を介してカーステレオのスピーカ（図示せず）から経路誘導音声やテレビ音声を出力することも行われている。
【００１４】
図２及び図３に示すように液晶モニタ１は、保持部９を介して裏カバー６の背面側へ導出されたリード線５の先端部分に設けられた金属製の止め金具１０が、当該液晶モニタ１を取付スタンド（図示せず）に固定するためのコ字状でなる取付金具１１と、裏カバー６の背面側に設けられた２段構造の凹部１３とに挟まれた状態でビス１２により取付固定されるようになされている。
【００１５】
ここで凹部１３は、図４に示すように段差が２段設けられた構造を有しており、最底部６Ａに対して一段高い位置に取付金具１１を当接させた状態で固定するための当接面６Ｂが設けられた構造を有しており、当該当接面６Ｂに取付金具１１が取り付け固定されることによって、当該取付金具１１と最底部６Ａとの間に空隙６Ｃが生成されるようになされている。
【００１６】
これにより液晶モニタ１は、図５に示すように取付スタンド２０のソールプレート２１上に設けられた薄板状でなる取付固定板２２が空隙６Ｃに差し込まれることにより、当該液晶モニタ１と当該取付スタンド２０とが勘合した状態で固定されることになる。
【００１７】
これにより液晶モニタ１は、図６に示すように取付スタンド２０に固定された状態で、当該液晶モニタ１のメイン基板４のＦＭ送信回路から出力される高周波信号をリード線５及びアンテナ動作する取付金具１１を介して電波として放射することができるようになされている。
【００１８】
（２）動作及び効果
以上の構成において、液晶モニタ１は、裏カバー６の背面側に設けられた凹部１３に取付金具１１を取り付けると共に、メイン基板４のＦＭ送信回路とリード線５を介して電気的にも接続することにより、当該取付金具１１を取付スタンド２０に取り付けるためだけではなく、アンテナとして共用することができる。
【００１９】
これにより液晶モニタ１は、アンテナだけの機能を有する専用のアンテナを有するのではなく、裏カバー６と取付スタンド２０とを機械的に取り付けて固定するために必須の取付金具１１をアンテナとしても用いることにより、通常のアンテナだけを単独で取り付ける場合に比べて省スペース化を図ることができると共に、美観を損ねるといった不都合を解消することができる。
【００２０】
また液晶モニタ１は、裏カバー６の背面側に設けられた取付金具１１をアンテナとして用いるようにしたことにより、前カバー２と裏カバー６とによって生まれる収納空間内部にアンテナを設けた場合のように、距離の近い位置に存在する不要輻射対策のシールド板（図示せず）にアンテナからの電波が吸収されて十分な電界強度を維持することができないといった不都合や、アンテナの指向性が変化してしまうといった不都合を予め回避することができる。
【００２１】
なお従来の車載用ナビゲーション装置における機器本体では、ＧＰＳアンテナとしてＧＰＳ衛星からの電波を受信して取り込むためのものであるのに対し、本発明の液晶モニタ１では、取付金具１１を音声送信用のアンテナとして用いることを主目的としているので、特に液晶モニタ１の内部にアンテナを収容してしまうことによる電界強度の低下や指向性の変化といった弊害防止に効果が大きく、車内のカーステレオのＦＭ受信機からスピーカを介して確実に音声を出力することができる。
【００２２】
さらに液晶モニタ１は、取付金具１１と取付スタンド２０の取付固定板２２とが機械的に取り付け固定されると共に電気的にも接続されるので、当該取付スタンド２０の取付固定板２２についてもアンテナとして動作させることができ、取付金具１１だけを単独でアンテナとして用いるよりも電気長を長くして用いることができる。
【００２３】
以上の構成によれば、液晶モニタ１は、裏カバー６の背面側に設けられた取付金具１１を取付スタンド２０に取り付けるためのものとして用いるだけでなく、アンテナとして共用することができるので、当該液晶モニタ１の外側にアンテナを位置させた結果、美観を損ねることなく省スペース化を図ることができると共に、アンテナ特性が劣化することを未然に防ぎ、カーステレオのスピーカから音声として確実に出力することができる。
【００２４】
（３）他の実施の形態
なお上述の実施の形態においては、コ字状の取付金具１１を用いるようにした場合について述べたが、本発明はこれに限らず、取付スタンド２０に取り付ける際の構造に応じた種々の形状でなる取付金具を用いるようにしても良い。
【００２５】
また上述の形態においては、メイン基板４に高周波信号を出力するためのＦＭ送信回路が取り付けられている場合について述べたが、本発明はこれに限らず、メイン基板４にＡＭ送信回路等のその他種々の送信回路が取り付けられていても良い。
【００２６】
さらに上述の実施の形態においては、本発明をナビゲーションシステムの液晶モニタ１に適用するようにした場合について述べたが、本発明はこれに限らず、カーオーディオや高速道路の自動料金支払いシステムに対応したＥＴＣユニット等の他の種々の車載機器に本発明を適用するようにしても良い。
【産業上の利用可能性】
【００２７】
本発明の車載機器は、例えば車載機器からアンテナを介して電波を放射する種々の用途に適用することができる。
【図面の簡単な説明】
【００２８】
【図１】本発明の液晶モニタの構成を示す略線的斜視図である。
【図２】裏カバー及び取付金具の構成を示す略線図である。
【図３】裏カバーの外側へ導出されたリード線の説明に供する略線図である。
【図４】凹部の構造を示す略線的斜視図である。
【図５】液晶モニタと取付スタンドとの取り付け時の説明に供する略線的斜視図である。
【図６】液晶モニタが取付スタンドに取付固定された状態を示す略線的断面図である。
【符号の説明】
【００２９】
１……液晶モニタ、２……前カバー、３……ＬＣＤ、４……メイン基板、５……リード線、６……裏カバー、７……凸部、１０……止め金具、１１……取付金具、１２……ビス、１３……凹部、２０……取付スタンド、２１……ソールプレート、２２……取付固定板。
【図１】
2005138637.tif 000003
【図２】
2005138637.tif 000004
【図３】
2005138637.tif 000005
【図４】
2005138637.tif 000006
【図５】
2005138637.tif 000007
【図６】
2005138637.tif 000008